(57)【要約】極低温シリンダが認証特徴部を含み、装置が当該特徴部を認識して当該シリンダの使用を容易にする。認証特徴部は非認定極低温シリンダの使用を防止する。シリンダはまた、空になったときに当該シリンダの極低温流体による充填の繰り返し、又は当該シリンダの再使用を防止する一定数の機械特徴部を含む。
2018520315.tif 000002
【特許請求の範囲】
【請求項１】
極低温液体貯蔵シリンダであって、
一定圧力下で液体を含有するように構成された液体含有体と、
前記液体が前記シリンダの液体含有体に入ることを容易にする一回使用取り付け弁を含むように構成された取り付け部と
を含み、
前記一回使用取り付け弁はまた、液体貯蔵シリンダの液体含有体から前記液体を供給するのを容易にするように構成され、
前記一回使用取り付け弁は、前記シリンダの中で前記液体が消耗すると破壊されるように構成される液体貯蔵シリンダ。
【請求項２】
前記一回使用取り付け弁は、前記コンテナにおいて前記液体が消耗すると前記コンテナの中に落下する請求項１に記載の液体貯蔵シリンダ。
【請求項３】
前記シリンダはさらに、前記液体の気体状凝集状態で動作する圧力逃し弁を含む請求項１に記載の液体貯蔵シリンダ。
【請求項４】
前記シリンダは、前記シリンダに関連付けられた少なくとも一つのシリンダ認証特徴部を含む請求項１に記載の液体貯蔵シリンダ。
【請求項５】
前記液体が前記コンテナに入るところに配置された電子モジュールをさらに含む請求項１に記載の液体貯蔵シリンダ。
【請求項６】
前記液体が前記シリンダの液体含有体に入るのを容易にする前記取り付け弁に配置された電子モジュールをさらに含む請求項１に記載の液体貯蔵シリンダ。
【請求項７】
前記取り付け弁は、機械特徴部、電子回路、読み取り可能情報、及び上記の組み合わせからなる認証特徴部群の少なくとも一つを含む請求項１に記載の液体貯蔵シリンダ。
【請求項８】
極低温液体を貯蔵及び供給するべく少なくとも一つの極低温液体貯蔵シリンダを受容するように構成された美容皮膚治療用の装置であって、
前記極低温液体シリンダと前記シリンダを満たす極低温液体との認証性の少なくとも一方に関する情報を与えるシリンダ認証モジュールと、
前記極低温液体シリンダと前記シリンダの内容物との少なくとも一方の識別特徴部と通信する少なくとも一つの制御器と
を含み、
少なくとも一つの制御メカニズムがさらに、前記シリンダに残っている極低温液体の量と、前記シリンダから供給された極低温液体の量との少なくとも一方の記録を保持するように構成される装置。
【請求項９】
前記極低温シリンダ認証モジュールは、機械モジュール、電子モジュール、読み取り可能情報モジュール、及び上記の組み合わせからなるモジュール群の少なくとも一つである請求項８に記載の装置。
【請求項１０】
機械シリンダ認証モジュールが、前記極低温シリンダの中に及び前記シリンダを受容する装置の中に作られた特別にピン固定された嵌合ピンを含む請求項８に記載の装置。
【請求項１１】
電子シリンダ認証モジュールが、ＲＦＩＤタグ、カスタマイズされた集積回路、前記極低温液体の物理的及び化学的分析、並びに上記の組み合わせからなるモジュール群の少なくとも一つである請求項８に記載の装置。
【請求項１２】
読み取り可能情報シリンダ認証モジュールが、ＵＰＣコード、ＱＲコード、カラーコード、暗号化コード及び上記の組み合わせからなる情報タグ群の少なくとも一つを読み取るように構成されたモジュール群の少なくとも一つである請求項８に記載の装置。
【請求項１３】
前記極低温液体シリンダ及び前記シリンダの内容物と通信するように構成された前記制御器が、認証モジュールの少なくとも一つと通信してシリンダの使用を容易にする請求項８に記載の装置。
【請求項１４】
前記制御器はまた、前記シリンダと前記シリンダを満たす極低温液体との認証性及び適合性の少なくとも一方を示す情報を与えるように構成される請求項８に記載の装置。
【請求項１５】
前記制御器はまた、前記シリンダと前記シリンダを満たす極低温液体との認証性及び適合性の少なくとも一方の量を示す情報を与えるように構成される請求項８に記載の装置。
【請求項１６】
装置動作の過程において前記シリンダを受容かつ保持するように構成された極低温液体シリンダクレードルをさらに含み、前記極低温液体シリンダクレードルはさらに、前記極低温液体による前記シリンダの充填をサポートする取り付け弁を破壊するように構成される請求項８に記載の装置。
【請求項１７】
前記情報モジュールは前記情報を暗号化形態で皮膚治療装置に伝え、前記皮膚治療装置（プロセッサ）は前記情報を、前記皮膚治療装置に伝えられた前記情報の有効性が決定されるように解読する請求項８に記載の装置。
【請求項１８】
前記情報モジュールは、極低温シリンダが消耗したときに前記極低温シリンダ認証モジュールの少なくとも一つを無効にする請求項８に記載の装置。
【請求項１９】
前記装置はさらに、装置と遠隔制御コンピュータ又はコントロールセンターとの間の通信メカニズムを含む請求項８に記載の装置。
【請求項２０】
前記通信メカニズムは少なくとも遠隔制御コンピュータと通信して前記装置に挿入された非認証シリンダが検出されているとのメッセージを伝える請求項１９に記載の装置。
【請求項２１】
皮膚治療デバイスに挿入された極低温シリンダを認証する認証方法であって、
極低温液体が充填された極低温シリンダを皮膚治療装置のクレードルに挿入することと、
前記極低温シリンダの少なくとも一つの認証特徴部を読み取り、これをプロセッサをプロセッサに通信することと、
前記プロセッサが受信した少なくとも一つの認証特徴部に認証プロセスを適用して少なくとも一つの認証特徴部の認証性を決定することと、
前記極低温シリンダが認証されていない場合に前記皮膚治療装置による前記極低温シリンダの使用を無効化又は中断することと
を含む認証方法。
【発明の詳細な説明】
【技術分野】
【０００１】
本極低温シリンダは、液体の、詳しくは極低温液体の、貯蔵用容器に関する。
【背景技術】
【０００２】
多くの皮膚治療システムは、皮膚冷却材料として使用され得る物質が充填された容器を含む。皮膚冷却材料は、カートリッジ、シリンダ、キャニスター及び他の同様の製品の中に詰めることができる。かかるシリンダ又はキャニスターは典型的にユーザにより設置され、当該容器内の皮膚冷却材料が消耗するとユーザにより取り外し及び交換され得る。
【０００３】
例えば、多くのシネロン・キャンデラ（登録商標）皮膚治療システムには、美容皮膚治療処置中の皮膚保護及び苦痛緩和を与えるべく使用される動的冷却デバイス（ＤＣＤ）が組み入れられる。美容システムは、これらの有益な効果を与えるべく、美容皮膚治療の前に、間に、又は後に、選択可能な量の極低温剤噴霧をユーザに与える。極低温剤は、液体状態で皮膚に送達可能となるように一定圧力下で容器に貯蔵される。
【０００４】
皮膚治療に使用される各材料は典型的に、特別に配合又は認定された材料である。例えば、容器の極低温剤の内容物は、高純度に維持される必要がある。不純物は、以下のいずれか又はすべてをもたらし得る。すなわち、皮膚治療処置中の患者の炎症、アレルギー、及び不純物燃焼、並びに、流体配管、材料逃し弁及び噴霧ジェットのいずれか又はすべてを含み得る皮膚冷却材料送達システムに詰まった不純物による流量抑制である。
【０００５】
特別に配合又は認定された極低温液体の純度を保証かつ維持するべく、容器自体が、汚染物質を当該液体に与えることのないようにする必要がある。そのため、適切な容器材料を認定することが必要とされている。
【０００６】
非認証極低温液体の価格は通常、特別に配合又は認証された極低温液体の価格よりも低い。ユーザは、少なくともいつかは、特に極低温流体容器が消耗して第３者に利用可能となる場合に、これを使用しようという気になり得る。安全性の問題にかかわらず、このコスト節約性は、皮膚治療送達システムが、詰まった皮膚冷却材料送達システムゆえに交換されなければならない場合に急速に失われる。非認証の極低温液体及び／又は極低温剤シリンダを使用することによる潜在的な安全性の問題は、皮膚治療処置中の患者の炎症、アレルギー、不純物の燃焼、及び、皮膚治療処置中の奏功しない皮膚冷却を含み得る。
【０００７】
用語集
【０００８】
本明細書において使用されるように、容器、シリンダ、キャニスターとの用語は、同じ意味を有し、互換可能に使用され、液体、詳しくは極低温液体を貯蔵することができる物体を示す。
【０００９】
本明細書において使用される皮膚治療システムとの用語は、光エネルギー、ラジオ周波数（ＲＦ）エネルギー又は超音波エネルギー、及び上記治療エネルギーの組み合わせを皮膚に及ぼす美容皮膚治療用装置を含む任意の皮膚治療装置を含む。
【００１０】
本開示において使用されるように、「認証」との用語は、以下のいずれか又はすべてを含み得る。すなわち、供給される容器及び／若しくは極低温剤が、既知のかつ認定されたソースに由来すること、容器への極低温剤の充填が既知の条件で行われたこと、並びに／又は充填された容器が、認定された供給者によって運搬されたことである。
【先行技術文献】
【特許文献】
【００１１】
【特許文献１】国際公開第２０１１／０９３７８６（Ａ１）号
【特許文献２】米国特許出願公開第２０１５／３２９３４１（Ａ１）号明細書
【発明の概要】
【００１２】
極低温液体貯蔵シリンダを受容する美容皮膚治療用の装置が、極低温液体を貯蔵及び供給するように構成される。コンテナにおける極低温液体は一定圧力下にあり得る。シリンダ及び装置は、一定数の認証特徴部と、当該特徴部を読み取って一以上の特徴部を認証するように構成されたプロセッサへと情報を通信するように構成されたモジュールとを含む。特徴部が真正の又は認定された特徴部として認証される場合、プロセッサは、シリンダ及び極低温液体の使用を容易にする。シリンダの少なくとも一つの特徴部が真正の又は認定された特徴部であれば、プロセッサは、皮膚治療装置が非認定シリンダから極低温剤を供給するのを防止する。
【図面の簡単な説明】
【００１３】
【図１】一例に係る極低温液体シリンダの平面図である。
【図２】図１の極低温液体シリンダの皮膚治療の皮膚受容部の一例である。
【図３】極低温液体シリンダ設置物の断面図の他例である。
【図４】一例に係る本極低温液体シリンダを使用した皮膚治療システムの模式的なブロック図である。
【図５】極低温シリンダ認証プロセスの一例である。
【発明を実施するための形態】
【００１４】
図１は、一例に係る極低温液体シリンダ又はコンテナの平面図である。極低温液体シリンダ又はコンテナ１００は円筒体１０４を含み、当該本体の一端又は第１端が、安全圧力逃し弁１１６を受容するべく構成された開口１１２を含む蓋１０８によって終端される。圧力逃し弁１１６は一つの要素として例示されるが、一定数の部品の組付体であってよい。圧力逃し弁１１６は気体状の材料に対して動作するが、液体状態では圧力変化に対して容易に応答しない。したがって、圧力逃し弁１１６は、シリンダの、動作位置において極低温気体を含有する部分に配置される。
【００１５】
コンテナにおける極低温液体は一定圧力下にある。本開示において、圧力逃し弁１１６は、コンテナ１００内の安全なコンテナ又はシリンダ動作圧力を維持する。
【００１６】
極低温液体シリンダ１００の皮膚治療装置４００（図４）への接続を容易にするように構成された取り付け部１２０が、極低温液体シリンダ１００の第２端で終端する。取り付け部１２０は、少なくとも一つの取り付け弁と称される弁１２４を含む。取り付け弁１２４は、極低温シリンダに極低温液体が充填されるときに、極低温液体が、極低温シリンダ１００の液体含有体又はキャビティの中に入るのを容易にする。コンテナにおける極低温液体は一定圧力下に維持される。取り付け部１２０はまた、極低温液体を含有するシリンダ１００のキャビティ（図示せず）から極低温液体が放出されるのを容易にするように構成される。
【００１７】
シリンダ１００及び取り付け弁１２４は、一以上の認証特徴部を含み得る。認証特徴部は、シリンダ１００を所定位置に設定するピン１２８（図１）のような機械特徴部となり得る。ピン１２８は、異なる断面を有して弁１２４上の異なる高さに位置され得る。ピン１２８は、非認定シリンダの使用を無効にする方法として、極低温剤が放出されるクレードル２００（図２）に接続シリンダ１００を順応させる適切な形状にすることができる。皮膚治療装置と通信する電子回路は、スキャナにより情報を読み取るが、他の認証特徴部となり得る。例えば、認証特徴部は、ＵＰＣコード、ＱＲコード（登録商標）、カラーコード、暗号化コード及び上記の組み合わせからなる情報タグとなり得る。認証プロセスをさらに強化するべく、電子回路を認証ピン１２８のような機械特徴部と組み合わせることができる。
【００１８】
使用時にシリンダ１００は、クレードル２００（図２）に挿入され、取り付け弁１２４の補助によりクレードル２００に接続される。クレードル２００は、クレードルの皮膚治療装置（図示せず）への接続を容易にする支持体２０４を含む。クレードル２００はまた、一定数の極低温シリンダ又はコンテナ１００認証モジュール２０８〜２１６を含む。認証モジュール２０８〜２１６は、機械認証モジュール、電子認証モジュール、可読情報認証モジュール及び上記の組み合わせからなる一群のモジュールのいずれか一つとなり得る。一例において、シリンダ１００は、一を超える認証特徴部を含み得る。
【００１９】
電子シリンダ認証モジュールは、ＲＦＩＤタグ、ＲＦトランスポンダー及び／又は受信機タグ、カスタマイズされた集積回路、一定圧力下にある極低温液体の物理的及び化学的分析を行うように構成されたＭＥＭＳ、並びに上記の組み合わせを含み得る。クレードル２００の電子シリンダ認証モジュールは、皮膚治療装置に設置された対応認証モジュール（図示せず）と通信し得る。クレードル２００の電子シリンダ認証モジュールは、一を超える認証特徴部と通信し得る。
【００２０】
図３は、極低温液体シリンダの付加例の断面図である。極低温液体シリンダ３００は、極低温シリンダ１００よりも小さく、円筒体３０４を含む。当該本体の一端又は第１端が、安全圧力逃し弁１１６を受容するべく構成された開口を含む蓋１０８によって終端される。圧力逃し弁１１６は一つの要素として例示されるが、一定数の部品の組付体であってよい。圧力逃し弁１１６は気体状の材料に作用するが、液体状態では圧力変化に対して容易に応答しない。したがって、圧力逃し弁１１６は、シリンダの、動作位置において極低温気体を含有する部分に配置される。
【００２１】
本開示において、圧力逃し弁１１６は、コンテナ３００内の安全な極低温液体動作圧力を維持する。
【００２２】
取り付け部３２０は、一回使用自己ロック取り付け弁３２４を含む。これは、シリンダキャビティ３２８を極低温液体で充填するときにロックされて、付加的なシリンダ再充填をサポートしない。部分的に又は完全に消耗した極低温シリンダを皮膚治療装置から取り外す場合、取り付け弁３２４が一回使用弁となって、皮膚治療装置へのシリンダの第２の又は付加的な取り付けをサポートしない。
【００２３】
さらなる例において、シリンダ３００における極低温液体の消耗のときに、及び／又は皮膚治療装置からのコンテナの取り外しの過程において、一回使用取り付け弁３２４は破壊され、又はその配向が、非認証シリンダ又は極低温液体供給者によるシリンダ３００の再充填を防止する位置まで変更される。一例において、取り付け弁３２４が、コンテナ３００の内部キャビティに押し込まれる。以下に説明されることだが、認定される一回使用取り付け弁３２４は、異なる認証アイテムを含み得る。皮膚治療装置は、非認定一方向弁が検出されると動作できなくなる。
【００２４】
シリンダ３００及び一回使用取り付け弁３２４は、一以上の認証特徴部を含み得る。認証特徴部は、シリンダ３００を所定位置に設定するピン１２８（図１）のような機械特徴部、皮膚治療装置と通信する電子回路、スキャナにより読み取り可能な情報、及び上記の組み合わせとなり得る。例えば、認証特徴部は、ＵＰＣコード、ＱＲコード、カラーコード、暗号化コード及び上記の組み合わせからなる情報タグとなり得る。一を超える認証特徴部が存在して同時に動作し得る。
【００２５】
弁３２４は、一以上の認証特徴部を含み得る。認証特徴部は、機械特徴部、皮膚治療装置と通信する電子回路、スキャナにより読み取られる情報、及び上記の組み合わせとなり得る。例えば、認証特徴部は、ＵＰＣコード、ＱＲコード、カラーコード、暗号化コード及び上記の組み合わせからなる情報タグとなり得る。
【００２６】
極低温シリンダ又は液体貯蔵コンテナ３００の一回使用取り付け弁３２４は、極低温液体をシリンダ３００の液体含有キャビティ３２８へと通過させることと、一定圧力下にある極低温液体を当該シリンダから送達することとを容易にするように構成される。取り付け弁３２４はまた、従前の角度配向とは異なる少なくとも一つの角度配向と、極低温シリンダ３００の取り付けプレート２０４又はエッジ３０８に対する一定数の異なる高さとをサポートするように構成することができる。
【００２７】
シリンダ３００及び弁３２４は、一以上の認証特徴部を含み得る。認証特徴部は、機械特徴部、皮膚治療装置と通信する電子回路、スキャナにより読み取られる情報、及び上記の組み合わせとなり得る。例えば、認証特徴部は、ＵＰＣコード、ＱＲコード、カラーコード、暗号化コード及び上記の組み合わせからなる情報タグとなり得る。
【００２８】
図４は、一例に係る本極低温液体シリンダを使用した皮膚治療装置の模式的なブロック図である。美容皮膚治療用の又は単純な皮膚治療用の装置４００は、液体貯蔵シリンダ１００又は３００のいずれか一つを、当該シリンダの中に一定圧力下で含有される極低温液体を貯蔵及び供給するべく受容するように構成されたクレードル２００を含む。装置４００は、一以上のシリンダ又はコンテナ認証モジュール４０８を含む。これらは、極低温シリンダ認証モジュール２０８〜２１６と通信し、当該シリンダの、及びいくつかの例においては極低温シリンダを充填する極低温液体の、信頼性に関する情報を与える。認証モジュール４０８はまた、クレードル４０４に関連付けることができ、又は、例えば破線で示されるユニット４０８−１のような、一定数のシリンダ認証モジュール４０８−１、４０８−２等を含む別個のユニットとすることができる。装置４００はさらに、極低温液体シリンダ、当該シリンダの弁３２４の認証モジュール４０８と通信し、及びいくつかの例においては当該シリンダの内容物を決定するモジュールと通信するように構成された制御器４１２を含む。美容皮膚治療用装置４００の制御器４１２は、シリンダの、及びいくつかの例においては極低温液体の、信頼性に関する情報を受信し、当該受信情報と、装置に埋め込まれ又は美容皮膚治療用の装置の制御器４１２に埋め込まれた既存データベースとを比較するように構成されたプロセッサ回路４１６を含む。シリンダ認証の結果に基づき、制御器４１２又はプロセッサ回路４１６は、識別／認定された極低温液体シリンダの使用を容易に、又は非認定シリンダの使用を防止することができる。
【００２９】
認証モジュールにより与えられる情報は暗号化され、制御器４１２は、当該暗号化情報の解読をサポートするプロセス及びアルゴリズムを含み得る。皮膚治療装置４００のプロセッサ回路４１６は、皮膚治療装置に伝えられる情報の有効性が決定されるように、当該情報を解読する。
【００３０】
制御器４１２はまた、ひとたびシリンダ３００（１００）から皮膚冷却材料が消耗したときに認証モジュールを無効化するアルゴリズムを含み得る。無効化のメカニズムは、電子回路に暗号化情報を書き込むことを含み得る。電子回路は、シリンダ３００（１００）がもはや認証されていないこと、又は認証情報が単に消去されていることを制御器４１２に通知するので、シリンダ３００（１００）はもはや認証されなくなる。無効化アルゴリズムは、皮膚冷却材料の残りの体積がしきい体積未満に落ち込んだことを当該アルゴリズムが決定するときに、シリンダ３００（１００）内の圧力がしきい圧力未満に落ち込むときに、又はシリンダ３００（１００）がクレードル２００から取り外されるときに、開始し得る。一例は、無効化アルゴリズムを開始する信号を制御器４１２に送信する機械ピン１２８を介して一定位置に保持された戻り止めの解放を含み得る。
【００３１】
装置４００はまた、装置４００と、極低温シリンダ又はコンテナ３００（１００）と、遠隔制御コンピュータ又はコントロールセンターとの間に通信メカニズム４２８を含む。非認証シリンダの挿入が検出された場合及びそのとき、通信メカニズム４２８は、これを遠隔制御コンピュータに伝達し得る。
【００３２】
皮膚治療装置４００の極低温シリンダ又はコンテナ認証モジュール２０８（２１２〜２１６）は、機械認証モジュール、電子認証モジュール、読み取り可能情報認証モジュール及び上記の組み合わせからなるモジュール群のいずれか一つとしてよい。機械シリンダ認証モジュールは、極低温シリンダのクレードルに作られた特別にピン固定された嵌合形状を含み得る。この形状は、楕円形状、三角形状、特別な切り抜きを含む形状、及び他の形状のようにしてよい。
【００３３】
電子シリンダ認証モジュールは、ＲＦＩＤタグ、ＲＦトランスポンダー及び／又は受信機タグ、カスタマイズされた集積回路、極低温液体の物理的及び化学的分析を行うように構成されたＭＥＭＳ、並びに上記の組み合わせを含み得る。極低温シリンダの認証モジュールと通信する対応する認証モジュールが、装置４００に設置され得る。
【００３４】
クレードル２００に設置されたシリンダ認証モジュールは、ＵＰＣコード、ＱＲコード、カラーコード、暗号化コード及び上記の組み合わせのような情報タグを読み取るように構成されたユニット又はデバイスを含み得る。
【００３５】
装置４００は、シリンダ又はコンテナ１００若しくは３００における圧力下で含有される極低温液体のオンデマンド供給をサポートする。一般に、極低温液体の各オンデマンド送達を、アプリケータ（図示せず）に配置されたボタンを押すことにより、又はフットペダル（図示せず）を押すことにより引き起こすことができる。極低温シリンダの容量は既知であり、極低温液体の各オンデマンド送達により既知量の極低温剤液体が送達される。制御器４１２はまた、シリンダの中に残った極低温液体の量を記録し続けるように構成することができる。制御器４１２はまた、シリンダ１００（３００）から供給される極低温液体の量を記録し続けるように構成することができる。
【００３６】
装置４００（図４）のクレードル２００は、極低温液体シリンダ３００（１００）を受容かつ保持することに加え、ロックにより又はシリンダ内側の押し込みにより、極低温液体によるシリンダの充填をサポートする一回使用取り付け弁３２４を破壊し、シリンダ又はコンテナ３００からの極低温液体の放出が一定圧力下で維持されるように構成されたメカニズム４２０を含む。例えば、空のシリンダ３００（１００）が装置４００から取り外されるときに、取り付け弁３２４（１２８）を所定位置にロックするべく、取り付け弁３２４（１２８）を９０度のような一定角度だけ回転させることができるので、取り付け弁３２４（１２８）は開けることができない。その結果、シリンダ３００（１００）は再充填することができない。この例において、部分的に空のシリンダ３００もまた、クレードル２００から取り外されるときに無効にされる。
【００３７】
他例において、空のシリンダ３００（１００）が装置４００から取り外されるときに、一回使用取り付け弁３２４（１２８）を、９０度のような一定角度だけ回転させることができる。この位置において、一回使用取り付け弁３２４（１２８）は、シリンダ３００（１００）内の圧力によってのみ所定位置に保持される。これにより、ひとたびシリンダ３００（１００）が空になると、シリンダ３００（１００）における圧力が、取り付け弁３２４（１２８）を所定位置に保持するには不十分となり、取り付け弁３２４（１２８）のシリンダ３００（１００）内への落下が引き起こされる。その結果、取り付け弁３２４（１２８）がもはや有効ではなくなるので、キャニスター３００（１００）を再充填することができない。この例において、部分的に空のシリンダ３００であれば、クレードル２００から取り外されるときに依然として有効となる十分な圧力が存在する。
【００３８】
他例において、空のシリンダ３００（１００）が装置４００から取り外されるときに、一回使用取り付け弁３２４（１２８）を、９０度のような一定角度だけ回転させることができる。この位置において、一回使用取り付け弁３２４（１２８）は、シリンダ３００（１００）内の圧力によってのみ所定位置に保持される。これにより、ひとたびシリンダ３００（１００）が空になると、シリンダ３００（１００）における圧力が、取り付け弁３２４（１２８）を所定位置に保持するには不十分となり、極低温剤充填ステーションの充填ホースに接続されるとき、取り付け弁３２４（１２８）のシリンダ３００（１００）内への落下が引き起こされる。その結果、取り付け弁３２４（１２８）がもはや有効ではなくなるので、キャニスター３００（１００）を再充填することができない。
【００３９】
図５は、極低温シリンダ又はキャニスターの認証プロセスの一例である。極低温シリンダ１００又は３００の、皮膚治療装置４００のクレードル２００への挿入（ブロック５００）に引き続き、読み取りデバイスが、極低温シリンダ１００又は２００の少なくとも一つの認証特徴部を読み取り、その読み取り情報をプロセッサ回路４１６に通信する（ブロック５０４）。プロセッサ回路４１６は、認証プロセス又はアルゴリズムを、プロセッサ回路４１６が受信した少なくとも一つの認証済み特徴部に適用し（ブロック５０８）、少なくとも一つの認証済み特徴部の信頼性を決定する（ブロック５１２）。必要な極低温シリンダ特徴部のすべてが認証特徴部として決定されると、プロセッサ回路４１６は、挿入された極低温シリンダの使用を装置４００によって容易にする（ブロック５１６）。極低温シリンダの少なくとも一つの特徴部が認証特徴部として識別できない場合、プロセッサ回路４１６は、システム上の音響手段又は情報プロンプトを通じて、非認定の容器又は内容物が存在することを介護者に警告する。プロセッサ回路４１６はまた、皮膚治療装置４００により、極低温シリンダの使用を無効にし又は制限することができる（ブロック５２０）。
【００４０】
プロセッサ回路４１６はまた、非認定又は非認証極低温液体シリンダが設置されて装置４００により使用されていることを、美容皮膚治療４００（図４）のための装置の不揮発性メモリ回路４２４に記録するように構成することができる。装置４００はまた、装置４００が消費する非認証極低温液体の量を記録することができる。記録は、装置にローカルに格納し、又は遠隔制御コンピュータへと通信することができる。プロセッサ４００はさらに、非認証シリンダ１００（３００）の使用を制限し若しくは非認証シリンダ１００（３００）の使用を無効とし、又はシステムが有資格のサービスエンジニアによる検査を受けるまで極低温剤クレードル２００の使用を永久に無効とするように構成される。
【００４１】
ここに記載の動作及びアルゴリズムは、ここに記載のプロセッサ回路４１６を有するマイクロコントローラ又は制御器４１２内に実行可能コードとして実装することができ、又は一以上の集積回路を使用して実装されたプロセッサ回路による当該コードの実行に基づいて完成されたスタンドアロンのコンピュータ又は機械読み取り可能非一時的有形媒体に格納することができる。開示の回路の実装例は、プログラマブルロジックアレイ（ＰＬＡ）、フィールドプログラマブルゲートアレイ（ＦＰＧＡ）のようなロジックアレイに実装されるハードウェアロジック、又は特定用途向け集積回路（ＡＳＩＣ）のような集積回路のマスクプログラミングによって実装されるハードウェアロジックを含む。これらの回路はいずれも、マイクロプロセッサ回路（図示せず）のような対応内部プロセッサ回路によって実行されて一以上の集積回路を使用して実装されるソフトウェアベースの実行可能リソースを使用して実装することができる。ここで、内部メモリ回路に格納された実行可能コードの実行により、プロセッサ回路を実装する集積回路が、アプリケーション状態変数をプロセッサメモリに格納し、ここに記載の回路の動作を行う実行可能アプリケーションリソース（例えばアプリケーションインスタンス）をもたらす。それゆえ、本明細書における用語「回路」の使用は、一以上の集積回路を使用して実装されて記載の動作を行うロジックを含むハードウェアベースの回路、又は（一以上の集積回路を使用して実装される）プロセッサ回路を含むソフトウェアベースの回路の双方を言及する。このプロセッサ回路は、当該プロセッサ回路による実行可能コードの実行によって修正されるアプリケーション状態データ及びアプリケーション変数を格納するためのプロセッサメモリの予約部分を含む。メモリ回路４２４は、例えば、プログラマブル読み出し専用メモリ（ＰＲＯＭ）若しくはＥＰＲＯＭのような不揮発性メモリ、及び／又はＤＲＡＭ等のような揮発性メモリを使用して実装することができる。
【００４２】
皮膚治療用に特別に配合又は認定された材料、特に極低温液体は、以下のいずれか又はすべてを回避し得る。すなわち、皮膚治療処置中の患者の炎症、アレルギー、不純物燃焼、並びに、流体配管、材料逃し弁及び噴霧ジェットのいずれか又はすべてを含み得る皮膚冷却材料送達システムを詰まらせる不純物による制限された皮膚冷却材料流に起因して奏功しない皮膚冷却である。
【図１】
2018520315.tif 000003
【図２】
2018520315.tif 000004
【図３】
2018520315.tif 000005
【図４】
2018520315.tif 000006
【図５】
2018520315.tif 000007
【国際調査報告】
2018520315.tif 000008
2018520315.tif 000009
2018520315.tif 000010
2018520315.tif 000011
2018520315.tif 000012